(57)【要約】【課題】      移動体通信端末を利用して、放送前の番組の録画予約のみならず、放送中の番組の録画をも行うことができる録画装置等を提供する。【解決手段】  録画装置は、移動体通信端末からの電子メールに組み込まれている録画情報Ｒの番組開始時刻と現在の時刻とを比較して録画の要求がなされたテレビ番組が既に始まっているか否かを判別し、テレビ番組が既に始まっている場合には録画開始時刻レジスタに現在の時刻を設定し、テレビ番組が未だ始まっていない場合には番組開始時刻を設定する。そして、録画開始時刻レジスタに設定された時刻になると、録画装置は、ユーザが移動体通信端末において指定したテレビ番組の録画を開始する。この結果、放送前の番組の録画予約のみならず、放送中の番組の録画をも行うことができるようになる。【選択図】    図７
2006186684.tif 000002
【特許請求の範囲】
【請求項１】
移動体通信端末からの録画指令に応答して、該録画指令に含まれる情報から、録画の要求がなされた番組の開始時刻を特定する番組開始時刻特定手段と、
前記番組開始時刻特定手段によって特定された前記番組の開始時刻と、現在の時刻と、を比較する時刻比較手段と、
前記時刻比較手段による比較結果に基づいて、前記番組の録画の開始時刻を決定する録画開始時刻決定手段と、
前記録画開始時刻決定手段によって決定された前記録画の開始時刻において、前記番組の録画を開始する番組録画開始手段と、
を備える録画装置。
【請求項２】
前記録画開始時刻決定手段は、
前記時刻比較手段による比較の結果、前記番組の開始時刻が前記現在の時刻よりも後である場合、該番組の開始時刻を前記録画の開始時刻に決定し、該番組の開始時刻が該現在の時刻よりも前である場合、該現在の時刻を該録画の開始時刻に決定する、
ことを特徴とする請求項１に記載の録画装置。
【請求項３】
前記録画指令受信手段が受信した前記録画指令に応じて前記番組を録画する際、該番組の録画データにフッダ情報を付与するフッダ情報付与手段をさらに備える、
ことを特徴とする請求項１又は２に記載の録画装置。
【請求項４】
各番組の開始時刻を特定可能な番組表を記憶する番組表記憶手段と、
ユーザが視聴中の番組についてなした録画の要求に応答して、前記番組表記憶手段に記憶されている前記番組表から、該録画の要求がなされた番組の開始時刻を取得する番組開始時刻取得手段と、
前記番組開始時刻取得手段によって取得された前記番組の開始時刻を特定可能な情報を含む録画指令をネットワークを介して所定の録画装置に送信することにより、前記録画の要求がなされた番組の録画を該録画装置に指令する録画指令手段と、
を備える移動体通信端末。
【請求項５】
前記番組表記憶手段に記憶されている前記番組表に前記録画の要求がなされた番組が掲載されていない場合、前記ネットワークを介して接続される所定の番組表サーバから、該録画の要求がなされた番組が掲載された前記番組表を取得する番組表取得手段をさらに備える、
ことを特徴とする請求項４に記載の移動体通信端末。
【請求項６】
前記録画の要求に応答して、前記番組表記憶手段に記憶されている前記番組表から、前記録画の要求がなされた番組の終了時刻を取得する番組終了時刻取得手段と、
前記番組終了時刻取得手段によって取得された該番組の終了時刻と、現在の時刻と、から該番組の残り放送時間を特定する残り放送時間特定手段と、
前記移動体通信端末において、前記残り放送時間特定手段によって特定された前記放送時間の番組を録画することが可能であるか否かを判別する番組録画判別手段と、
をさらに備え、
前記録画指令手段は、
前記番組録画判別手段によって前記移動体通信端末において前記残り放送時間の番組を録画することが不能であると判別された場合、前記録画指令を前記ネットワークを介して前記録画装置に送信する、
ことを特徴とする請求項４に記載の移動体通信端末。
【請求項７】
前記番組録画判別手段によって前記移動体通信端末において前記残り放送時間の番組を録画することが不能であると判別された場合、該番組を、前記移動体通信端末において録画するか、前記録画装置において録画するかを選択するよう、前記ユーザに指示をする選択指示手段をさらに備え、
前記録画指令手段は、
前記選択手段による指示に応じて前記ユーザが前記録画装置において録画することを選択した場合、前記録画指令を前記ネットワークを介して前記録画装置に送信する、
ことを特徴とする請求項６に記載の移動体通信端末。
【請求項８】
前記録画指令手段は、
前記録画指令を電子メールに組み込んで前記ネットワークを介して前記録画装置に送信する、
ことを特徴とする請求項４，５，又は７に記載の移動体通信端末。
【請求項９】
移動体通信端末と、該移動体通信端末とネットワークを介して接続された録画装置と、から構成される録画システムであって、
前記移動体通信端末は、
ユーザが視聴中の番組についてなした録画の要求に応答して、録画の要求がなされた番組の開始時刻を特定可能な情報を含む録画指令を前記ネットワークを介して前記録画装置に送信する録画指令送信手段を備え、
前記録画装置は、
前記録画指令送信手段より送信された前記録画指令を受信する録画指令受信手段と、
前記録画指令受信手段が受信した前記録画指令に含まれる情報から、前記番組の開始時刻を特定する番組開始時刻特定手段と、
前記番組開始時刻特定手段によって特定された前記番組の開始時刻と、現在の時刻と、を比較する時刻比較手段と、
前記時刻比較手段による比較結果に基づいて、前記番組の録画の開始時刻を決定する録画開始時刻決定手段と、
前記録画開始時刻決定手段によって決定された前記録画の開始時刻において、前記番組の録画を開始する番組録画開始手段と、
を備える、
ことを特徴とする録画システム。
【請求項１０】
前記移動体通信端末と前記ネットワークを介して接続され、前記番組表を該移動体通信端末に提供可能な番組表サーバをさらに備え、
前記移動体通信端末は、
前記番組表記憶手段に記憶されている前記番組表に前記録画の要求がなされた番組が掲載されていない場合、前記番組表サーバから、該録画の要求がなされた番組が掲載された前記番組表を取得する番組表取得手段をさらに備える、
ことを特徴とする請求項９に記載の録画システム。
【請求項１１】
移動体通信端末からの録画指令に応答して、該録画指令に含まれる情報から、録画の要求がなされた番組の開始時刻を特定する番組開始時刻特定ステップと、
前記番組開始時刻特定ステップによって特定された前記番組の開始時刻と、現在の時刻と、を比較する時刻比較ステップと、
前記時刻比較ステップによる比較結果に基づいて、前記番組の録画の開始時刻を決定する録画開始時刻決定ステップと、
前記録画開始時刻決定ステップによって決定された前記録画の開始時刻において、前記番組の録画を開始する番組録画開始ステップと、
を備える録画方法。
【請求項１２】
各番組の開始時刻を特定可能な番組表を記憶する番組表記憶手段を備える移動体通信端末における録画方法であって、
ユーザが視聴中の番組についてなした録画の要求に応答して、前記番組表記憶手段に記憶されている前記番組表から、該録画の要求がなされた番組の開始時刻を取得する番組開始時刻取得ステップと、
前記番組開始時刻取得ステップによって取得された前記番組の開始時刻を特定可能な情報を含む録画指令をネットワークを介して所定の録画装置に送信することにより、前記録画の要求がなされた番組の録画を該録画装置に指令する録画指令ステップと、
を備える録画方法。
【請求項１３】
録画装置に組み込まれているコンピュータに、
移動体通信端末からの録画指令に応答して、該録画指令に含まれる情報から、録画の要求がなされた番組の開始時刻を特定する番組開始時刻特定手順と、
前記番組開始時刻特定手順によって特定された前記番組の開始時刻と、現在の時刻と、を比較する時刻比較手順と、
前記時刻比較手順による比較結果に基づいて、前記番組の録画の開始時刻を決定する録画開始時刻決定手順と、
前記録画開始時刻決定手順によって決定された前記録画の開始時刻において、前記番組の録画を開始する番組録画開始手順と、
を実行させるためのプログラム。
【請求項１４】
各番組の開始時刻を特定可能な番組表を記憶する番組表記憶手段を備える移動体通信端末に組み込まれているコンピュータに、
ユーザが視聴中の番組についてなした録画の要求に応答して、前記番組表記憶手段に記憶されている前記番組表から、該録画の要求がなされた番組の開始時刻を取得する番組開始時刻取得手順と、
前記番組開始時刻取得手順によって取得された前記番組の開始時刻を特定可能な情報を含む録画指令をネットワークを介して所定の録画装置に送信することにより、前記録画の要求がなされた番組の録画を該録画装置に指令する録画指令手順と、
を実行させるためのプログラム。
【発明の詳細な説明】
【技術分野】
【０００１】
本発明は、録画装置、移動体通信端末、録画システム、録画方法、及びプログラムに関し、特に、移動体通信端末を利用して、放送前の番組の録画予約のみならず、放送中の番組の録画をも行うことができる録画装置、移動体通信端末、録画システム、録画方法、及びプログラムに関する。
【背景技術】
【０００２】
携帯電話などの移動体通信端末を利用して電子番組表（ＥＰＧ：Electronic Program Guide）サーバにアクセスし、このＥＰＧサーバが公開する番組表を参照して所望のテレビジョン番組（テレビ番組）の録画予約をする録画予約システムが開示されている（特許文献１参照）。
【特許文献１】特開２００３−３３９０４１号公報
【発明の開示】
【発明が解決しようとする課題】
【０００３】
係る録画予約システムによれば、ユーザは、移動体通信端末を利用してＥＰＧサーバにアクセス可能な環境下にありさえすれば、どのような場所からでもテレビ番組の録画予約を行うことができる。
【０００４】
しかしながら、係る録画予約システムでは、放送前のテレビ番組の録画予約を行うことはできるが、放送中のテレビ番組の録画を指定することはできなかった。
【０００５】
本発明は、上記実状に鑑みてなされたものであり、移動体通信端末を利用して、放送前の番組の録画予約のみならず、放送中の番組の録画をも行うことができる録画装置、移動体通信端末、録画システム、録画方法、及びプログラムを提供することを目的とする。
【課題を解決するための手段】
【０００６】
上記目的を達成するため、本発明の第１の観点にかかる録画装置は、移動体通信端末からの録画指令に応答して、該録画指令に含まれる情報から、録画の要求がなされた番組の開始時刻を特定する番組開始時刻特定手段と、前記番組開始時刻特定手段によって特定された前記番組の開始時刻と、現在の時刻と、を比較する時刻比較手段と、前記時刻比較手段による比較結果に基づいて、前記番組の録画の開始時刻を決定する録画開始時刻決定手段と、前記録画開始時刻決定手段によって決定された前記録画の開始時刻において、前記番組の録画を開始する番組録画開始手段と、を備える。
【０００７】
また、上記録画装置において、前記録画開始時刻決定手段は、前記時刻比較手段による比較の結果、前記番組の開始時刻が前記現在の時刻よりも後である場合、該番組の開始時刻を前記録画の開始時刻に決定し、該番組の開始時刻が該現在の時刻よりも前である場合、該現在の時刻を該録画の開始時刻に決定してもよい。
【０００８】
さらに、上記録画装置において、前記録画指令受信手段が受信した前記録画指令に応じて前記番組を録画する際、該番組の録画データにフッダ情報を付与するフッダ情報付与手段をさらに備えてもよい。
【０００９】
また、本発明の第２の観点にかかる移動体通信端末は、各番組の開始時刻を特定可能な番組表を記憶する番組表記憶手段と、ユーザが視聴中の番組についてなした録画の要求に応答して、前記番組表記憶手段に記憶されている前記番組表から、該録画の要求がなされた番組の開始時刻を取得する番組開始時刻取得手段と、前記番組開始時刻取得手段によって取得された前記番組の開始時刻を特定可能な情報を含む録画指令をネットワークを介して所定の録画装置に送信することにより、前記録画の要求がなされた番組の録画を該録画装置に指令する録画指令手段と、を備える。
【００１０】
さらに、上記移動体通信端末において、前記番組表記憶手段に記憶されている前記番組表に前記録画の要求がなされた番組が掲載されていない場合、前記ネットワークを介して接続される所定の番組表サーバから、該録画の要求がなされた番組が掲載された前記番組表を取得する番組表取得手段をさらに備えてもよい。
【００１１】
また、上記移動体通信端末において、前記録画の要求に応答して、前記番組表記憶手段に記憶されている前記番組表から、前記録画の要求がなされた番組の終了時刻を取得する番組終了時刻取得手段と、前記番組終了時刻取得手段によって取得された該番組の終了時刻と、現在の時刻と、から該番組の残り放送時間を特定する残り放送時間特定手段と、前記移動体通信端末において、前記残り放送時間特定手段によって特定された前記放送時間の番組を録画することが可能であるか否かを判別する番組録画判別手段と、をさらに備え、前記録画指令手段は、前記番組録画判別手段によって前記移動体通信端末において前記残り放送時間の番組を録画することが不能であると判別された場合、前記録画指令を前記ネットワークを介して前記録画装置に送信してもよい。
【００１２】
さらに、上記移動体通信端末において、前記番組録画判別手段によって前記移動体通信端末において前記残り放送時間の番組を録画することが不能であると判別された場合、該番組を、前記移動体通信端末において録画するか、前記録画装置において録画するかを選択するよう、前記ユーザに指示をする選択指示手段をさらに備え、前記録画指令手段は、前記選択手段による指示に応じて前記ユーザが前記録画装置において録画することを選択した場合、前記録画指令を前記ネットワークを介して前記録画装置に送信してもよい。
【００１３】
また、上記移動体通信端末において、前記録画指令手段は、前記録画指令を電子メールに組み込んで前記ネットワークを介して前記録画装置に送信してもよい。
【００１４】
さらに、本発明の第３の観点に係る録画システムは、移動体通信端末と、該移動体通信端末とネットワークを介して接続された録画装置と、から構成される録画システムであって、前記移動体通信端末は、ユーザが視聴中の番組についてなした録画の要求に応答して、録画の要求がなされた番組の開始時刻を特定可能な情報を含む録画指令を前記ネットワークを介して前記録画装置に送信する録画指令送信手段を備え、前記録画装置は、前記録画指令送信手段より送信された前記録画指令を受信する録画指令受信手段と、前記録画指令受信手段が受信した前記録画指令に含まれる情報から、前記番組の開始時刻を特定する番組開始時刻特定手段と、前記番組開始時刻特定手段によって特定された前記番組の開始時刻と、現在の時刻と、を比較する時刻比較手段と、前記時刻比較手段による比較結果に基づいて、前記番組の録画の開始時刻を決定する録画開始時刻決定手段と、前記録画開始時刻決定手段によって決定された前記録画の開始時刻において、前記番組の録画を開始する番組録画開始手段と、を備える、ことを特徴とする。
【００１５】
また、上記録画システムにおいて、前記移動体通信端末と前記ネットワークを介して接続され、前記番組表を該移動体通信端末に提供可能な番組表サーバをさらに備え、前記移動体通信端末は、前記番組表記憶手段に記憶されている前記番組表に前記録画の要求がなされた番組が掲載されていない場合、前記番組表サーバから、該録画の要求がなされた番組が掲載された前記番組表を取得する番組表取得手段をさらに備えてもよい。
【００１６】
さらに、本発明の第４の観点に係る録画方法は、移動体通信端末からの録画指令に応答して、該録画指令に含まれる情報から、録画の要求がなされた番組の開始時刻を特定する番組開始時刻特定ステップと、前記番組開始時刻特定ステップによって特定された前記番組の開始時刻と、現在の時刻と、を比較する時刻比較ステップと、前記時刻比較ステップによる比較結果に基づいて、前記番組の録画の開始時刻を決定する録画開始時刻決定ステップと、前記録画開始時刻決定ステップによって決定された前記録画の開始時刻において、前記番組の録画を開始する番組録画開始ステップと、を備える。
【００１７】
また、本発明の第５の観点に係る録画方法は、各番組の開始時刻を特定可能な番組表を記憶する番組表記憶手段を備える移動体通信端末における録画方法であって、ユーザが視聴中の番組についてなした録画の要求に応答して、前記番組表記憶手段に記憶されている前記番組表から、該録画の要求がなされた番組の開始時刻を取得する番組開始時刻取得ステップと、前記番組開始時刻取得ステップによって取得された前記番組の開始時刻を特定可能な情報を含む録画指令をネットワークを介して所定の録画装置に送信することにより、前記録画の要求がなされた番組の録画を該録画装置に指令する録画指令ステップと、を備える。
【００１８】
さらに、本発明の第６の観点に係るプログラムは、録画装置に組み込まれているコンピュータに、移動体通信端末からの録画指令に応答して、該録画指令に含まれる情報から、録画の要求がなされた番組の開始時刻を特定する番組開始時刻特定手順と、前記番組開始時刻特定手順によって特定された前記番組の開始時刻と、現在の時刻と、を比較する時刻比較手順と、前記時刻比較手順による比較結果に基づいて、前記番組の録画の開始時刻を決定する録画開始時刻決定手順と、前記録画開始時刻決定手順によって決定された前記録画の開始時刻において、前記番組の録画を開始する番組録画開始手順と、を実行させる。
【００１９】
また、本発明の第７の観点に係るプログラムは、各番組の開始時刻を特定可能な番組表を記憶する番組表記憶手段を備える移動体通信端末に組み込まれたプログラムであって、コンピュータを、ユーザが視聴中の番組についてなした録画の要求に応答して、前記番組表記憶手段に記憶されている前記番組表から、該録画の要求がなされた番組の開始時刻を取得する番組開始時刻取得手順と、前記番組開始時刻取得手順によって取得された前記番組の開始時刻を特定可能な情報を含む録画指令をネットワークを介して所定の録画装置に送信することにより、前記録画の要求がなされた番組の録画を該録画装置に指令する録画指令手順と、を実行させる。
【発明の効果】
【００２０】
本発明によれば、移動体通信端末を利用して、放送前の番組の録画予約のみならず、放送中の番組の録画をも行うことができる録画装置、移動体通信端末、録画システム、録画方法、及びプログラムを提供することができる。
【発明を実施するための最良の形態】
【００２１】
以下、本発明を実施するための最良の形態を詳細に説明する。
【００２２】
まず、本発明の実施形態に係る番組録画システムの構成について説明する。番組録画システムは、図１に示すように、移動体通信端末１と、テレビジョン（以下、単にテレビと称す）放送局２と、基地局３と、インターネット４と、電子番組表（ＥＰＧ：Electronic Program Guide）サーバ５と、番組表データベース（ＤＢ）６と、メールサーバ７と、メールボックス８と、録画装置９と、テレビ受像器１０と、から構成されている。
【００２３】
移動体通信端末１は、携帯電話やＰＨＳ（Personal Handyphone System）等といった移動体通信用の端末装置（電話機）であって、基地局３を介して他の移動体通信端末１との間での無線通話を可能にする機能（無線通話機能）を有するものである。さらに、本実施形態の移動体通信端末１は、基地局３を介してメールサーバ７に対して電子メールを送信したり、メールサーバ７からの電子メールを受信したりする機能（電子メール送受信機能）と、テレビ放送局２から提供されるテレビ番組の視聴を可能にする機能（テレビ番組視聴機能）と、視聴中のテレビ番組を録画する機能（テレビ番組録画機能）と、を有している。
【００２４】
図２は、移動体通信端末１の構成例を示すブロック図である。移動体通信端末１は、図２に示すように、アンテナ１１及び１４と、無線送受信部１２と、Ｗｅｂブラウザ１３と、ＴＶ（Television）チューナ部１５と、操作部１６と、表示部１７と、音声データ部１８と、スピーカ１９と、符号化部２０と、マイクロフォン２１と、録画メモリ２２と、ＥＰＧメモリ２３と、中央制御部２４と、から構成されている。
【００２５】
アンテナ１１は、移動体通信端末１の外部から入力される電磁波をアナログ信号に変換して無線送受信部１２やＷｅｂブラウザ１３に供給すると共に、無線送受信部１２から供給される送信信号を電磁波に変換して空中に放射するものである。
【００２６】
無線送受信部１２は、アンテナ１１から供給されるアナログ信号に対して復調処理や、Ａ／Ｄ（Analog-Digital）変換処理、逆拡散処理、位相補正処理を施すなどしてデジタル方式の受信信号を取得し、取得した受信信号を音声データ部１８に供給する。また、無線送受信部１２は、符号化部２０から供給されるデジタル方式の送信信号にエラー訂正処理や、拡散処理、Ｄ／Ａ（Digital-Analog）変換処理及び変調処理を施すなどしてアナログ方式に変換した後、アンテナ１１を介して基地局３に送信する。
【００２７】
Ｗｅｂブラウザ１３は、中央制御部２４のＣＰＵによって実行されるソフトウェアであり、ユーザにより指定されたウェブページにアクセスして、ＨＴＭＬ(Hyper Text Markup Language)ファイル形式のコンテンツデータをダウンロードするものである。
【００２８】
アンテナ１４は、移動体通信端末１の外部から入力される電磁波をアナログ信号に変換してＴＶチューナ部１５に供給するものである。
【００２９】
ＴＶチューナ部１５は、アンテナ１４より供給されるアナログ信号のうちから、ユーザにより選局されたチャンネルの周波数に同調する信号を抽出し、これをベースバンド信号に変換する。そして、ＴＶチューナ部１５は、このベースバンド信号から映像データ、音声データ、及び番組情報Ｐなどを取得する。ここで、番組情報Ｐは、例えば現在日時、録画チャンネルの番号、現在位置などを含んだデータである。
【００３０】
操作部１６は、例えば十字カーソルキーや、数字や文字を入力するための英数字キー、機能などを指定するためのボタン等から構成され、ユーザによって操作されるものである。
【００３１】
表示部１７は、例えば液晶表示装置（ＬＣＤ：Liquid Crystal Display）等から構成され、移動体通信端末１による種々の動作を実行するための画像や、ＴＶチューナ部１５で取得した映像データに基づくテレビ画像などを表示するものである。
【００３２】
音声データ部１８は、無線送受信部１２から供給される受信信号や、ＴＶチューナ部１５で取得した音声データに対してデコード処理を施した後、アナログ信号に変換してスピーカ１９から出力するものである。これにより、スピーカ１９からは、通話相手方の音声や、音声データに基づくテレビの音声などが再生される。
【００３３】
符号化部２０は、マイクロフォン２１から入力される音声をＡ／Ｄ変換した後、符号化して送信信号を生成し、無線送受信部１２に供給する。
【００３４】
録画メモリ２２は、例えばＳＤ（Secure Digital）メモリカード等から構成されており、視聴中のテレビ番組を録画するためのものである。本実施形態の録画メモリ２２は、その容量が約１ＧＢで、最大約６０分のテレビ番組の録画データを記憶することができるものとなっている。
【００３５】
ＥＰＧメモリ２３は、例えばＳＤメモリカード等から構成されており、ＥＰＧサーバ５から取得したＥＰＧ情報を記憶するためのメモリである。図３は、このＥＰＧ情報のデータ構成例を示す図である。ＥＰＧ情報は、図３に示すように、各チャンネルにおける放送内容を特定可能なデータ構成を有している。具体的には、このＥＰＧ情報から、所定の番組を放送するチャンネル番号や、この番組の放送開始時刻及び終了時刻が特定することができるようになっている。図３に示す例では、このＥＰＧ情報から、番組Ａが１５：００〜１６：００にチャンネル１で放送されることを特定することができる。
【００３６】
図２に示す中央制御部２４は、例えばＣＰＵ（Central Processing Unit）、ＲＯＭ（Read Only Memory）、及びＲＡＭ（Random Access Memory）等から構成されており、ＣＰＵがＲＯＭ等に記憶されている各種プログラムを適宜実行することによって、移動体通信端末１の各部の動作を制御する。なお、ＲＡＭは、ＣＰＵがプログラムを実行する際、ワークメモリとして用いられるものである。本実施形態では、ＣＰＵがＲＯＭに記憶されているメール作成プログラムや、ＥＰＧ管理プログラムを実行することによって、メール作成部２４１や、ＥＰＧ管理部２４２が中央制御部２４の内部で実現される。
【００３７】
メール作成部２４１は、録画情報Ｒを組み入れた電子メールを作成するものである。ここで、録画情報Ｒは、例えば録画日、番組開始時刻、番組終了時刻、録画チャンネル番号、録画先の録画装置のメールアドレスなどの録画予約に必要な情報が含まれている。メール作成部２４１にて作成された電子メールは、基地局３及びインターネット４を介してメールサーバ７へと送信される。
【００３８】
ＥＰＧ管理部２４２は、ＴＶチューナ部１５で取得した番組情報Ｐに対応するＥＰＧ情報がＥＰＧメモリ２３に記憶されているかをチェックし、記憶されていない場合には、この番組情報Ｐに対応するＥＰＧ情報をＥＰＧサーバ５から取得するなど、ＥＰＧメモリ２３内のＥＰＧ情報を管理するためのものである。
【００３９】
図１に示す基地局３は、移動体通信端末１間での通話を可能ならしめると共に、ＥＰＧサーバ５からインターネット４を介してＥＰＧデータを取得して移動体通信端末１に供給したり、移動体通信端末１からの電子メールをメールサーバ７に供給したりする。
【００４０】
ＥＰＧサーバ５は、移動体通信端末１からの要求に応じて、番組表ＤＢ６に記憶されているＥＰＧ情報をインターネット４及び基地局３を介して移動体通信端末１に供給するものである。
【００４１】
メールサーバ７は、移動体通信端末１から基地局３及びインターネット４を介して送信された電子メールを受信してメールボックス８に保存すると共に、録画装置９からの要求に応じて、メールボックス７に保存した電子メールをインターネット４を介して録画装置９に送信するものである。
【００４２】
録画装置９は、図１に示すように、上記アンテナ１４と同一の構成を有するアンテナ９１と、制御部９２と、ＴＶ放送録画再生装置９３と、から概略構成されている。
【００４３】
図４は、制御部９２を中心とした録画装置９の構成例を示す図である。録画装置９は、上記アンテナ９１，制御部９２，及びＴＶ放送録画再生装置９３の他、図４に示すように、メール送受信部９４と、メール本文メモリ９５と、レジスタ群９６と、上記ＴＶチューナ部１５と同一の構成を有するＴＶチューナ部９７と、をさらに備えている。
【００４４】
制御部９２は、例えばＣＰＵ（Central Processing Unit）、ＲＯＭ（Read Only Memory）、及びＲＡＭ（Random Access Memory）等から構成されており、ＣＰＵがＲＯＭ等に記憶されている各種プログラムを適宜実行することによって、録画装置９の各部の動作を制御する。なお、ＲＡＭは、ＣＰＵがプログラムを実行する際、ワークメモリとして用いられるものである。本実施形態では、ＣＰＵがＲＯＭに記憶されているメール作成プログラムや、メール解析プログラム、番組情報抽出プログラム、番組受信／録画制御プログラムを実行することによって、メール作成部９２１や、メール解析部９２２，番組情報抽出部９２３，番組受信／録画制御部９２４が制御部９２の内部で実現される。
【００４５】
メール作成部９２１は、電子メールを作成するものであり、メール解析部９２２は、メール送受信部９４にて受信した電子メールを解析する共に、この電子メールの本文をメール本文メモリ９５に保存するものである。
【００４６】
番組情報抽出部９２３は、メール本文メモリ９５に記憶されている電子メールから、録画情報Ｒを抽出するものである。
【００４７】
番組受信／録画制御部９２４は、レジスタ群９６になされた設定に従って、ＴＶチューナ９７やＴＶ放送録画再生装置９３を制御するものである。具体的には、番組受信／録画制御部９２４は、レジスタ群９６に設定されている録画チャンネル番号に対応する周波数をＴＶチューナ部９７に設定することにより、録画の指示がなされたチャンネルの放送番組データ（映像データや、音声データなど）を受信させる。また、番組受信／録画制御部９２４は、レジスタ群９６に設定されている録画開始時刻になると、ＴＶ録画再生装置９３に録画開始信号を送出するなどして放送番組の録画を開始させると共に、録画終了時刻には、録画終了信号を送出して放送番組の録画を終了させる。
【００４８】
ＴＶ放送録画再生装置９３は、例えばＤＶＤ（Digital Versatile Disc）レコーダやＨＤＤ（Hard Disc Drive）レコーダなどの録画用マスストレージ装置であって、番組受信／録画制御部９２４による制御の下、受信した放送番組をＤＶＤやＨＤＤに録画したり、或いはＤＶＤやＨＤＤの内容を再生したりするものである。
【００４９】
メール送受信部９４は、定期的にメールサーバ７にアクセスして録画装置９宛ての電子メールを受信すると共に、メール作成部９２１にて作成された電子メールをネットワーク４を介してメールサーバ７に送信するものである。
【００５０】
レジスタ群９６は、テレビ番組の録画のための各種設定情報を保持する複数のレジスタから構成されている。本実施形態のレジスタ群９６は、録画日を設定するための録画日レジスタ、録画開始時刻を設定するための録画開始時刻レジスタ、録画終了時刻を設定するための録画終了時刻レジスタ、及び録画チャンネル番号を設定するための録画チャンネル番号レジスタから構成されている。
【００５１】
図１に示すテレビ受像機１０は、受信した放送番組や、ＴＶ放送録画再生装置９３にて再生されたＤＶＤの画像及び音声を表示装置及びスピーカなどからそれぞれ出力するものである。
【００５２】
次に、上記構成を備える番組録画システムの具体的動作について説明する。
【００５３】
まず、移動体通信端末１が実行するテレビ番組録画指示処理につき、図面を参照して説明する。図５は、テレビ番組録画指示処理の詳細を示すフローチャートである。
【００５４】
このテレビ番組録画指示処理において、中央制御部２４は、図５に示すように、ユーザによって操作部１６の「録画」ボタンが操作されるなどしてテレビ番組の録画が要求されると（ステップＳ１；Ｙｅｓ）、移動体通信端末１の設定がテレビ番組視聴モードになっているか否かチェックするなどして、現在ユーザがテレビ番組を視聴しているか否かを判別する（ステップＳ２）。なお、テレビ番組視聴モードに設定されている場合、表示部１７には、図６（Ａ）に示すように、テレビ番組の映像が表示され、又スピーカ１９からは、テレビ番組の音声が出力される。
【００５５】
ユーザがテレビを視聴していないものと判別した場合（ステップＳ２；Ｎｏ）、中央制御部２４は、表示部１７に「録画できない」といったメッセージを一定期間表示させて、ユーザにテレビ番組の録画が不能であることを報知する（ステップＳ３）。その後、中央制御部２４は、ステップＳ１の処理へとリターンして、ユーザによる録画の要求を待つ。
【００５６】
一方、ユーザがテレビを視聴しているものと判別した場合（ステップＳ２；Ｙｅｓ）、中央制御部２４は、テレビ放送局２から提供される放送番組データから、視聴中の番組の番組情報Ｐを取得する（ステップＳ４）。また、中央制御部２４のＥＰＧ情報管理部２４２は、ＥＰＧメモリ２３から、この番組情報Ｐに対応するＥＰＧ情報を検出する（ステップＳ５）。即ち、録画の要求がなされた番組が掲載されているＥＰＧを検出する。
【００５７】
取得した番組情報Ｐに対応するＥＰＧ情報をＥＰＧメモリ２３から検出できなかった場合には（ステップＳ５；Ｎｏ）、このＥＰＧ情報の提供をＥＰＧサーバ５に要求する（ステップＳ６）。ＥＰＧサーバ５は、要求されたＥＰＧ情報を番組表ＤＢ６から検出してインターネット４及び基地局３を介して移動体通信端末１に対し送信する。要求したＥＰＧ情報が番組表ＤＢ６になかった場合等、ＥＰＧ情報を取得できなかった場合には（ステップＳ７；Ｎｏ）、ステップＳ３の処理へと進み、表示部１７に「録画できない」といったメッセージを一定期間表示させる。
【００５８】
他方、取得した番組情報Ｐに対応するＥＰＧ情報をＥＰＧメモリ２３から検出した場合や（ステップＳ５；Ｙｅｓ）、このＥＰＧ情報をＥＰＧサーバ５から取得した場合には（ステップＳ７；Ｙｅｓ）、このＥＰＧ情報から、ステップＳ４の処理にて取得した番組情報Ｐに対応する録画情報Ｒを取得する（ステップＳ８）。
【００５９】
続いて、中央制御部２４は、現在の時刻、ステップＳ８の処理にて取得した録画情報Ｒに含まれる番組終了時刻、から番組の残り時間ＴＲを算出する（ステップＳ９）。具体的には、番組終了時刻から現在の時刻を減算することにより番組の残り時間ＴＲを求めることができる。また、中央制御部２４は、録画メモリ２２の空き容量から、録画メモリ２２に録画可能な残り時間（録画メモリ残り時間）ＴＭ算出する（ステップＳ１０）。具体的には、録画メモリ２２の空き容量を記憶ビットレートで除算することにより求められる。
【００６０】
そして、中央制御部２４は、ステップＳ９の処理にて求めた番組残り時間ＴＲと、ステップＳ１０の処理にて求めた録画メモリ残り時間ＴＭと、を比較して、ユーザにより録画の要求がなされたテレビ番組が録画メモリ２２に録画可能であるか否かを判別する（ステップＳ１１）。
【００６１】
録画メモリ残り時間ＴＭが番組残り時間ＴＲよりも長い場合には（ステップＳ１１；Ｙｅｓ）、テレビ番組を録画メモリ２２に録画することが可能であると判別して、図６（Ｂ）に示すように、このテレビ番組を移動体通信端末１内の録画メモリ２２に取り込むか、或いは外部の録画装置９に録画させるかをユーザに選択させるための画面（番組録画装置選択画面）を表示部１７に表示させる（ステップＳ１２）。
【００６２】
ユーザにより録画メモリ２２への録画が選択された場合には（ステップＳ１３；Ｎｏ）、テレビ放送局２から提供されるテレビ番組を録画メモリ２２に録画する（ステップＳ１４）。そして、録画情報Ｒに含まれる番組終了時刻になると（ステップＳ１５；Ｙｅｓ）、中央制御部２４は、テレビ番組が終了したものと判断して、このテレビ番組の録画を終了すると共に、その旨を表示部１７に表示させる（ステップＳ１６）。その後、中央制御部２４は、ステップＳ１の処理へとリターンして、ユーザによる録画の要求を待つ。
【００６３】
他方、録画メモリ残り時間ＴＭが番組残り時間ＴＲよりも短く、テレビ番組を録画メモリ２２に録画することができないと判別した場合や（ステップＳ１１；Ｎｏ）、ユーザにより録画装置９への録画が選択された場合には（ステップＳ１３；Ｙｅｓ）、図６（Ｃ）に示すように、ステップＳ８の処理にて取得した録画情報Ｒを表示部１７に一定時間表示させ（ステップＳ１７）、この録画情報Ｒを録画装置９に送信するか否かをユーザに選択させる。
【００６４】
そして、ユーザにより「送信」が選択されると（ステップＳ１８；Ｙｅｓ）、中央制御部２４のメール作成部２４１は、録画情報Ｒを含む電子メール（録画指令メール）を作成し、基地局３及びインターネット４を介してメールサーバ７に送信する（ステップＳ１９）。
【００６５】
一方、一定時間（約５秒間）「送信」が選択されなかった場合には（ステップＳ１８；Ｎｏ、ステップＳ２０；Ｙｅｓ）、「録画装置が選択されていない」といったメッセージを一定時間表示部１７に表示させ（ステップＳ２１）、その後、ステップＳ１の処理へとリターンして、ユーザによる録画の要求を待つ。
【００６６】
以上までの処理が移動体通信端末１によって実行されるテレビ番組録画指示処理である。
【００６７】
続いて、録画装置９が実行する番組録画処理につき、図面を参照して説明する。図７は、番組録画処理の詳細を示すフローチャートである。
【００６８】
この番組録画処理において、制御部９２は、図７に示すように、メール送受信部９４を制御し、定期的にメールサーバ７にアクセスして、移動体通信端末１から録画指令メールが送信されたか否かを確認する（ステップＳ３１）。録画指令メールがメールボックス８等に保持されている場合には（ステップＳ３２；Ｙｅｓ）、この録画指令メールを受信すると共に、番組情報抽出部９２３にて、この録画指令メールから録画情報Ｒを抽出する（ステップＳ３３）。
【００６９】
続いて、制御部９２は、ステップＳ３３の処理にて抽出した録画情報Ｒに含まれる録画日や、番組終了時刻、録画チャンネル番号を、それぞれ対応するレジスタに保存する（ステップＳ３４）。また、制御部９２は、現在の時刻と、録画情報Ｒに含まれる番組開始時刻と、を比較して、録画の要求がなされたテレビ番組が既に始まっているか否かを判別する（ステップＳ３５）。
【００７０】
テレビ番組が既に始まっている場合には（ステップＳ３５；Ｙｅｓ）、レジスタ９６群の録画開始時刻レジスタに、現在の時刻を設定する（ステップＳ３６）。他方、テレビ番組が未だ始まっていない場合には（ステップＳ３５；Ｎｏ）、録画開始時刻レジスタに、番組開始時刻を設定する（ステップＳ３７）。
【００７１】
その後、録画開始時刻レジスタに設定された時刻になると、制御部９２の番組受信／録画制御部９２４は、録画チャンネル番号レジスタの設定に従い、ＴＶチューナ部９７の受信周波数を調整するなどして、録画の要求がなされたチャンネルの放送番組データの受信を開始し、これに重畳されている番組ヘッダ情報を取得する（ステップＳ３８）。
【００７２】
そして、制御部９２は、取得した番組ヘッダ情報をＴＶ放送録画再生装置９３内のＤＶＤやＨＤＤの所定領域に記憶した後（ステップＳ３９）、これに続く領域にテレビ番組の録画データを順次記憶して行く（ステップＳ４０）。
【００７３】
その後、録画終了時刻レジスタに設定された時刻になると（ステップＳ４１；Ｙｅｓ）、制御部９２の番組受信／録画制御部９２４は、テレビ番組が終了したものと判断して、このテレビ番組の録画を終了する（ステップＳ４２）。そして、制御部９２のメール作成部９２１は、テレビ番組の録画が終了した旨のメッセージを移動体通信端末１のユーザに通知するための電子メールを作成し、インターネット４を介してメールサーバ７に送信する（ステップＳ４３）。
【００７４】
以上までの処理が録画装置９によって実行される番組録画処理である。
【００７５】
以上説明したように、本実施形態に係る番組録画システムにおいて、録画装置９の制御部９２は、移動体通信端末１からの電子メールに組み込まれている録画情報Ｒの番組開始時刻と、現在の時刻と、を比較して、録画の要求がなされたテレビ番組が既に始まっているか否かを判別する。テレビ番組が既に始まっている場合には、レジスタ９６群の録画開始時刻レジスタに、現在の時刻を設定し、テレビ番組が未だ始まっていない場合には、番組開始時刻を設定する。そして、録画開始時刻レジスタに設定された時刻になると、制御部９２の番組受信／録画制御部９２４は、ユーザが移動体通信端末１において指定したテレビ番組の録画を開始する。
【００７６】
このように本実施形態の番組録画システムによれば、未だ始まっていないテレビ番組については、その番組の録画予約を行うことができると共に、既に始まっているテレビ番組については、即座にその録画を開始することができるようになる。
【００７７】
また、録画装置９は、テレビ番組を録画する際、この録画データに番組ヘッダ情報を付してＤＶＤやＨＤＤに記憶して行くので、後に再生などする際、容易にこの録画データを検出することができる。
【００７８】
さらに、移動体通信端末１の中央制御部２４は、テレビ放送局２から提供される放送番組データから、視聴中の番組の番組情報Ｐを取得し、ＥＰＧメモリ２３から、この番組情報Ｐに対応するＥＰＧ情報を検出する。そして、対応するＥＰＧ情報がＥＰＧメモリ２３から検出された場合には、このＥＰＧメモリ２３から録画情報Ｒを取得する。他方、対応するＥＰＧ情報がＥＰＧメモリ２３から検出されなかった場合には、インターネット４を介してＥＰＧサーバ５からＥＰＧ情報を取得する。
【００７９】
このように移動体通信端末１は、ＥＰＧ情報を予め保持しておき、それが録画の要求がなされた番組情報Ｐに対応するものであるならば、即ち録画の要求がなされたテレビ番組を掲載するＥＰＧであるならば、そこから録画情報Ｒを取得し、ないときに初めてＥＰＧサーバ５から取得するので、ユーザにより録画の要求がなされる毎にＥＰＧサーバ５にアクセスする必要がなく、テレビ番組録画指示処理を迅速に実行することができる。
【００８０】
また、移動体通信端末１の中央制御部２４は、現在の時刻と番組終了時刻とから番組の残り時間ＴＲを算出すると共に、録画メモリ２２の空き容量から、録画メモリ２２に録画可能な残り時間（録画メモリ残り時間）ＴＭを算出する。そして、移動体通信端末１の中央制御部２４は、番組残り時間ＴＲと録画メモリ残り時間ＴＭとを比較して、ユーザにより録画の要求がなされたテレビ番組を録画メモリ２２に録画することが可能であるか否かを判別する。
【００８１】
録画メモリ残り時間ＴＭが番組残り時間ＴＲよりも短く、テレビ番組を録画メモリ２２に録画することができないと判別した場合には、録画装置９にテレビ番組の録画を指示し、他方、録画メモリ残り時間ＴＭが番組残り時間ＴＲよりも長い場合には、テレビ番組を録画メモリ２２に録画することが可能であると判別して、このテレビ番組を移動体通信端末１内の録画メモリ２２に取り込むか、或いは外部の録画装置９に録画させるかをユーザに選択させる。この結果、番組録画システムは、ユーザにより録画の要求がなされたテレビ番組を最後まで録画することができる。
【００８２】
なお、本発明は、上記実施形態に限定されず、種々の変形、応用が可能である。以下、本発明に適用可能な上記実施形態の変形態様について、説明する。
【００８３】
上記実施形態において、中央制御部２４や制御部９２のＣＰＵが実行するプログラムは、予めＲＯＭ等に記憶されていた。しかしながら、本発明は、これに限定されず、上述の処理を実行させるためのプログラムを、既存の移動体通信端末や録画装置に適用することで、上記実施形態にかかる移動体通信端末１や録画装置９として機能させてもよい。
【００８４】
このようなプログラムの提供方法は任意であり、例えば、インターネットなどの通信媒体を介して提供可能である他、例えば、メモリカードなどの記録媒体に格納して配布してもよい。
【００８５】
また、上記実施形態において、ＴＶ放送録画再生装置９３は、テレビ番組の録画データを、ＤＶＤ（Digital Versatile Disc）やＨＤＤ（Hard Disc Drive）などに記憶するものとして説明したが、例えば、Ｂｌｕｅ−Ｒａｙ−Ｄｉｓｃ（Ｒ）やＡＯＤ（Advanced Optical Disc）などの青色レーザを用いた次世代光ディスク記憶媒体、赤色レーザを用いるＨＤ−ＤＶＤ９、青紫色レーザを用いるＢｌｕｅ−Ｌａｓｅｒ−ＤＶＤ等、今後開発される種々の大容量記憶媒体を用いて本発明を実施することが可能であることはいうまでもない。
【図面の簡単な説明】
【００８６】
【図１】本発明の実施形態に係る番組録画システムの構成例を示すブロック図である。
【図２】移動体通信端末の構成例を示すブロック図である
【図３】ＥＰＧ情報のデータ構成例を示す図である。
【図４】録画装置の構成例を示すブロック図である。
【図５】テレビ番組録画指示処理の詳細を示すフローチャートである。
【図６】図５に示すテレビ番組録画指示処理の実行時における画面表示例を示す図である。
【図７】番組録画処理の詳細を示すフローチャートである。
【符号の説明】
【００８７】
１…移動体通信端末、２…テレビ放送局、３…基地局、４…インターネット、５…ＥＰＧサーバ、６…番組表ＤＢ、７…メールサーバ、８…メールボックス、９…録画装置、１６…操作部、１７…表示部、２２…録画メモリ、２３…ＥＰＧメモリ、２４…中央制御部、９２…制御部、９３…ＴＶ放送録画再生装置、９４…メール送受信部、９６…レジスタ群、９７…ＴＶチューナ部、２４１…メール作成部、２４２…ＥＰＧ管理部、９２１…メール作成部、９２３…番組情報抽出部、９２４…番組受信／録画制御部
【図１】
2006186684.tif 000003
【図２】
2006186684.tif 000004
【図３】
2006186684.tif 000005
【図４】
2006186684.tif 000006
【図５】
2006186684.tif 000007
【図６】
2006186684.tif 000008
【図７】
2006186684.tif 000009